(57)【要約】【課題】映像蓄積再生装置において、可変速再生の操作で再生方向を逆転させても、操作後、映像再生の開始までの時間が長くならないようにする。【解決手段】開示される映像蓄積再生装置は、サブCPU装置2に映像再生を制御する情報が入力されたとき、サブCPU装置から素材準備要求をメインCPU装置1に送出し、メインCPU装置において、サブCPUインタフェース部7が素材準備要求に基づいて再生制御部5に素材準備要求を出力し、再生制御部でファイルシステム部6に素材の格納場所リスト要求を送出して格納場所リストを受け、再生制御部が格納場所リストをサブCPUインタフェース部に返して、メインCPU装置からサブCPU装置に格納場所リストを出力し、サブCPU装置で、蓄積装置インタフェース部8が、格納場所リスト情報に応じて素材データ要求を蓄積装置3に出力して素材データを受けて映像出力装置4に送出して、映像出力装置から映像信号を出力する。【選択図】図１
2008236535.tif 000002
【特許請求の範囲】
【請求項１】
メインＣＰＵ装置とサブＣＰＵ装置と蓄積装置とを備えた映像蓄積再生装置であって、サブＣＰＵ装置に映像の再生制御が指示されたとき、サブＣＰＵ装置からメインＣＰＵ装置に素材準備要求を送出したことによってメインＣＰＵ装置から素材の格納場所リストをサブＣＰＵ装置に返し、サブＣＰＵ装置が前記格納場所リストに基づいて蓄積装置から取り出した素材データを出力することによって、映像出力装置が前記素材データに基づいて映像信号を出力するように構成されていることを特徴とする映像蓄積再生装置。
【請求項２】
前記メインＣＰＵ装置がサブＣＰＵインタフェース部と再生制御部とファイルシステム部とを備え、サブＣＰＵインタフェース部が、前記サブＣＰＵ装置からの素材準備要求を再生制御部に送出し、これによって再生制御部が素材の格納場所リスト要求をファイルシステム部に送出して前記格納場所リストを受け取ってサブＣＰＵインタフェース部を介して出力することによって、前記メインＣＰＵ装置から前記サブＣＰＵ装置に格納場所リストを返送し、前記サブＣＰＵ装置が蓄積装置インタフェース部を備え、該蓄積装置インタフェース部を介して前記メインＣＰＵ装置からの格納場所リストに応じて前記蓄積装置に素材データ要求を送出して受け取った素材データを、前記映像出力装置に出力するように構成されていることを特徴とする請求項１記載の映像蓄積再生装置。
【請求項３】
前記蓄積装置が、映像の素材データを蓄積していて、前記素材データ要求に応じて所要の素材データを読み出すものであることを特徴とする請求項１または２記載の映像蓄積再生装置。
【請求項４】
前記映像出力装置が、前記素材データを映像信号に変換して出力するものであることを特徴とする請求項１乃至３のいずれか一記載の映像蓄積再生装置。
【請求項５】
メインＣＰＵ装置とサブＣＰＵ装置と蓄積装置とからなる映像蓄積再生装置において、サブＣＰＵ装置に映像の再生制御が指示されたとき、サブＣＰＵ装置からメインＣＰＵ装置に素材準備要求を送出したことによってメインＣＰＵ装置から素材の格納場所リストをサブＣＰＵ装置に返し、サブＣＰＵ装置が前記格納場所リストに基づいて蓄積装置から取り出した素材データを出力することによって、映像出力装置が前記素材データに基づいて映像信号を出力することを特徴とする映像蓄積再生装置の映像再生制御方法。
【請求項６】
前記メインＣＰＵ装置において、サブＣＰＵインタフェース部が、前記サブＣＰＵ装置からの素材準備要求を再生制御部に送出し、これによって再生制御部が素材の格納場所リスト要求をファイルシステム部に送出して前記格納場所リストを受け取って前記サブＣＰＵインタフェース部を介して出力することによって、前記メインＣＰＵ装置から前記サブＣＰＵ装置に格納場所リストを返送し、前記サブＣＰＵ装置において、蓄積装置インタフェース部を介して前記メインＣＰＵ装置からの格納場所リストに応じて前記蓄積装置に素材データ要求を送出して受け取った素材データを、前記映像出力装置に出力することを特徴とする請求項５記載の映像蓄積再生装置の映像再生制御方法。
【請求項７】
前記蓄積装置において、蓄積されている映像の素材データに基づいて、前記素材データ要求に応じて所要の素材データを読み出すことを特徴とする請求項５または６記載の映像蓄積再生装置の映像再生制御方法。
【請求項８】
前記映像出力装置において、前記素材データを映像信号に変換して出力することを特徴とする請求項５乃至７のいずれか一記載の映像蓄積再生装置の映像再生制御方法。
【発明の詳細な説明】
【技術分野】
【０００１】
この発明は、映像素材を蓄積して再生する装置において、可変速再生時、操作に対して即座に反応して映像が動くようにした、映像蓄積再生装置およびその映像再生制御方法に関する。
【背景技術】
【０００２】
従来の映像蓄積再生装置では、映像の蓄積，再生を行う場合に、大容量の素材データを常時、メインＣＰＵ（Central Processing Unit)装置を介して映像蓄積再生装置との間でやりとりを行うようになっていた。以下、図２を参照して従来の映像蓄積再生装置の構成と動作を説明する。
【０００３】
図２は、従来の映像蓄積再生装置の構成例を示したものであって、メインＣＰＵ装置２０，サブＣＰＵ装置２１，蓄積装置２２および映像出力装置４からなる概略構成を有している。
さらに、図２に示された映像蓄積再生装置において、メインＣＰＵ装置２０は、サブＣＰＵ装置２１とのインタフェースを行うサブインタフェース部２３と、再生制御部２４と、素材データを管理するファイルシステム部２５からなっている。以下、図２を参照して、従来の映像蓄積再生装置の動作を説明する。
【０００４】
従来の映像蓄積再生装置においては、再生制御電文９はサブＣＰＵ装置２１で受信される。サブＣＰＵ装置２１では、再生制御電文９を解釈して、メインＣＰＵ装置２０に対して素材準備要求１０として伝える。
メインＣＰＵ装置２０では、素材準備要求１０をサブＣＰＵインタフェース部２３で受信して、これを再生制御部２４に信号１１として伝える。再生制御部２４では、信号１１による要求を受けて、ファイルシステム部２５に対して素材データ要求２９を送出する。ファイルシステム部２５では、素材データ要求２９を受けて、データが格納されている場所を検索して、データ読み出し要求３０を送出する。
【０００５】
データ読み出し要求３０は、蓄積装置インタフェース部２６に入力され、信号３１として蓄積装置２２に入力される。蓄積装置２２では、データ読み出し要求３０に応じた素材データを読み出すことによって、素材データ３２が出力される。
素材データ３２は、蓄積装置インタフェース部２６を介して、信号３３としてファイルシステム部２５に入力される。ファイルシステム部２５では、受け取った当該素材データを信号３４として出力する。信号３４は再生制御部２４に入力され、再生制御部２４では、信号３４によって受け取った当該素材データを信号３５として出力する。
【０００６】
信号３５はサブＣＰＵインタフェース部２３に入力され、サブＣＰＵインタフェース部２３では、当該素材データを信号３６として出力する。
信号３６はサブＣＰＵ装置２１に入力され、サブＣＰＵ装置２１では当該素材データを、素材データ１８として映像出力装置４に渡す。素材データ１８は、映像出力装置４において映像信号に変換されて、映像信号１９として出力される。
【０００７】
このように、従来の映像蓄積再生装置では、大容量の素材データを常にメインＣＰＵ装置を介してやりとりを行うため、処理の遅延が発生する。特に、可変速再生の操作で再生方向を逆転させた場合等において、操作を行ってから実際に映像が逆転再生を開始できるまでの時間が長くなることを避けられなかった。
【０００８】
なお、可変速再生の操作で再生方向を逆転させるのは、例えば、映像のある特定の１フレームの画像を確認する方法の一つとして、その画像を再生させて前後の画像とのつながり具合を確認する場合に、注目しているフレームを含めてその前後のフレームを、順方向，逆方向に往復させながら、画像を再生することが必要になるためである。
【０００９】
これに対して特許文献１においては、配送装置は、コンテンツの配送要求をユーザ端末から受け付ける指示受付部と、コンテンツの格納場所を取得するためのメタデータ取得部と、格納情報を取得するためのメタデータ取得部と、格納情報を用いてストレージ装置からストレージネットワークを介して、コンテンツを取得し、ユーザ端末に配信するコンテンツ取得部とを有し、管理装置は、配信装置から格納場所取得要求を受け付けて、ストレージ装置から格納場所を取得するメタデータ管理部を有する、コンテンツ配信システム及び方法が開示されている。
【００１０】
このように、特許文献１記載の技術によれば、データ転送の高速性を確保しつつ、プラットフォームの依存性を排除したコンテンツ配信技術が提供される旨が記載されている。
しかしながら、特許文献１においては、大容量の素材データを常にメインＣＰＵ装置を介してやりとりを行っても処理の遅延が発生せず、可変速再生の操作で再生方向を逆転させた場合等において、操作を行ってから実際に映像が逆転再生を開始できるまでの時間が長くならないようにすることについては、なんら記載されていない。
【００１１】
また、特許文献２においては、端末装置は、複数の番組受信制御装置の中からユーザによって選択された一つ（以下、選択装置と称する）を受け付けると、その選択装置にアクセスして映像データの送信要求を行い、そして、送信要求に応じて選択装置から送信されてきた映像データをインターネットを介して受信し、その映像データを映像信号に変換し、その映像信号に対応する映像をモニタ等から提示する、放送を受信する電子機器に適用可能な、情報処理装置および方法、記録媒体、並びにプログラムが開示されている。
【００１２】
このように、特許文献２記載の技術によれば、放送の受信可能地域外で、リアルタイムで放送を視聴させる旨が記載されている。
しかしながら、特許文献２においては、大容量の素材データを常にメインＣＰＵ装置を介してやりとりを行っても処理の遅延が発生せず、可変速再生の操作で再生方向を逆転させた場合等において、操作を行ってから実際に映像が逆転再生を開始できるまでの時間が長くならないようにすることについては、なんら記載されていない。
【００１３】
また、特許文献３においては、映像蓄積配送装置は、特殊再生または任意のフレームから再生を開始するために各フレームの映像データ蓄積装置内の格納場所を示すフレームアドレステーブルと、複数の映像蓄積配送装置と複数のチャネルとを接続するスイッチバスを制御するための制御ユニットとを有し、スイッチバスを介して、映像チャネル配送装置間、及びユーザの映像再生装置間のデータ転送を行い、映像データを蓄積する光ディスクデータ蓄積装置から、時分割で複数の映像データを読み出し、磁気ディスク装置または半導体メモリ上に一時的に蓄積した後、各ユーザに配送する、映像蓄積配送装置及び映像蓄積配送システムが開示されている。
【００１４】
このように、特許文献３記載の技術によれば、映像データの時間軸及び画質を保証して、複数のユーザに同時供給できる映像蓄積配送装置およびシステムが提供される旨が記載されている。
しかしながら、特許文献３においては、大容量の素材データを常にメインＣＰＵ装置を介してやりとりを行っても処理の遅延が発生せず、可変速再生の操作で再生方向を逆転させた場合等において、操作を行ってから実際に映像が逆転再生を開始できるまでの時間が長くならないようにすることについては、なんら記載されていない。
【特許文献１】特開２００６−０１１６７２号公報（図２，〔００３３〕１〜２行、５〜６行、〔００３４〕６〜８行）
【特許文献２】特開２００６−３２５２２９号公報（図３，〔００１７〕１１〜１４行）
【特許文献３】特開平０７−２３６１３２号公報（図１，〔００６３〕９〜１３行）
【発明の開示】
【発明が解決しようとする課題】
【００１５】
従来の映像蓄積再生装置においては、大容量の素材データを常にメインＣＰＵ装置を介してやりとりを行うことになるため、処理の遅延が発生する。特に、可変速再生の操作で再生方向を逆転させた場合等においては、操作を行ってから実際に映像が逆転再生を開始するまでの時間が長くなるという問題があった。
【００１６】
この発明は上述の事情に鑑みてなされたものであって、大容量の素材データをやりとりする場合にも、処理の遅延が発生せず、可変速再生の操作で再生方向を逆転させても、操作後、実際に映像が逆転再生を開始するまでの時間が長くならない、映像蓄積再生装置およびその映像再生制御方法を提供することを目的としている。
【課題を解決するための手段】
【００１７】
上記課題を解決するため、請求項１記載の発明は映像蓄積再生装置に係り、メインＣＰＵ装置とサブＣＰＵ装置と蓄積装置とを備えた映像蓄積再生装置であって、サブＣＰＵ装置に映像の再生制御が指示されたとき、サブＣＰＵ装置からメインＣＰＵ装置に素材準備要求を送出したことによってメインＣＰＵ装置から素材の格納場所リストをサブＣＰＵ装置に返し、サブＣＰＵ装置が上記格納場所リストに基づいて蓄積装置から取り出した素材データを出力することによって、映像出力装置が上記素材データに基づいて映像信号を出力するように構成されていることを特徴としている。
【００１８】
また、請求項２記載の発明は、請求項１記載の映像蓄積再生装置に係り、上記メインＣＰＵ装置がサブＣＰＵインタフェース部と再生制御部とファイルシステム部とを備え、サブＣＰＵインタフェース部が、上記サブＣＰＵ装置からの素材準備要求を再生制御部に送出し、これによって再生制御部が素材の格納場所リスト要求をファイルシステム部に送出して上記格納場所リストを受け取ってサブＣＰＵインタフェース部を介して出力することによって、上記メインＣＰＵ装置から上記サブＣＰＵ装置に格納場所リストを返送し、上記サブＣＰＵ装置が蓄積装置インタフェース部を備え、該蓄積装置インタフェース部を介して上記メインＣＰＵ装置からの格納場所リストに応じて上記蓄積装置に素材データ要求を送出して受け取った素材データを、上記映像出力装置に出力するように構成されていることを特徴としている。
【００１９】
また、請求項３記載の発明は、請求項１または２記載の映像蓄積再生装置に係り、上記蓄積装置が、映像の素材データを蓄積していて、上記素材データ要求に応じて所要の素材データを読み出すものであることを特徴としている。
【００２０】
また、請求項４記載の発明は、請求項１乃至３のいずれか一記載の映像蓄積再生装置に係り、上記映像出力装置が、上記素材データを映像信号に変換して出力するものであることを特徴としている。
【００２１】
また、請求項５記載の発明は映像蓄積再生装置の映像再生制御方法に係り、メインＣＰＵ装置とサブＣＰＵ装置と蓄積装置とからなる映像蓄積再生装置において、サブＣＰＵ装置に映像の再生制御が指示されたとき、サブＣＰＵ装置からメインＣＰＵ装置に素材準備要求を送出したことによってメインＣＰＵ装置から素材の格納場所リストをサブＣＰＵ装置に返し、サブＣＰＵ装置が上記格納場所リストに基づいて蓄積装置から取り出した素材データを出力することによって、映像出力装置が上記素材データに基づいて映像信号を出力することを特徴としている。
【００２２】
また、請求項６記載の発明は、請求項５記載の映像蓄積再生装置の映像再生制御方法に係り、上記メインＣＰＵ装置において、サブＣＰＵインタフェース部が、上記サブＣＰＵ装置からの素材準備要求を再生制御部に送出し、これによって再生制御部が素材の格納場所リスト要求をファイルシステム部に送出して上記格納場所リストを受け取って上記サブＣＰＵインタフェース部を介して出力することによって、上記メインＣＰＵ装置から上記サブＣＰＵ装置に格納場所リストを返送し、上記サブＣＰＵ装置において、蓄積装置インタフェース部を介して上記メインＣＰＵ装置からの格納場所リストに応じて上記蓄積装置に素材データ要求を送出して受け取った素材データを、上記映像出力装置に出力することを特徴としている。
【００２３】
また、請求項７記載の発明は、請求項５または６記載の映像蓄積再生装置の映像再生制御方法に係り、上記蓄積装置において、蓄積されている映像の素材データに基づいて、上記素材データ要求に応じて所要の素材データを読み出すことを特徴としている。
【００２４】
また、請求項８記載の発明は、請求項５乃至７のいずれか一記載の映像蓄積再生装置の映像再生制御方法に係り、上記映像出力装置において、上記素材データを映像信号に変換して出力することを特徴としている。
【発明の効果】
【００２５】
本発明の映像蓄積再生装置およびその映像再生制御方法によれば、メインＣＰＵ装置上のファイルシステム部で管理している、素材データの格納場所の情報をサブＣＰＵ装置が受け取って、直接、蓄積装置から映像の素材データを読み出すことができるので、複雑な可変速再生の操作に対しても即座に反応して要求された素材データを読み出して、映像を再生することができる。
【発明を実施するための最良の形態】
【００２６】
本発明の映像蓄積再生装置は、メインＣＰＵ装置とサブＣＰＵ装置と蓄積装置とを備えた映像蓄積再生装置であって、サブＣＰＵ装置に映像の再生制御が指示されたとき、サブＣＰＵ装置からメインＣＰＵ装置に素材準備要求を送出したことによってメインＣＰＵ装置から素材の格納場所リストをサブＣＰＵ装置に返し、サブＣＰＵ装置が格納場所リストに基づいて蓄積装置から取り出した素材データを出力することによって、映像出力装置がこの素材データに基づいて映像信号を出力するように構成されている。
【実施例】
【００２７】
図１は、本発明の一実施例である映像蓄積再生装置の構成を示すブロック図である。
この例の映像蓄積再生装置は、図１に示すように、メインＣＰＵ装置１と、サブＣＰＵ装置２と、蓄積装置３と、映像出力装置４とから概略構成されている。
【００２８】
メインＣＰＵ装置１は、映像再生に必要な素材データの格納場所の情報を抽出する再生御御部５と、素材データの格納場所を管理するファイルシステム部６と、サブＣＰＵ装置２とのインタフェースを行うサブＣＰＵインタフェース部７とからなっている。
また、サブＣＰＵ装置２は、蓄積装置３とのインタフェースを行う蓄積装置インタフェース部８を備えている。
【００２９】
なお、蓄積装置３は所定の格納場所ごとに映像データを蓄積するメモリからなるものであり、映像出力装置４は素材データを映像信号に変換して出力するものであって、いずれも周知のものであるとともに、本発明の内容とは直接の関係がないので、その詳細な構成等については省略する。
【００３０】
以下、図１を参照して、この例の映像蓄積再生装置の再生動作について説明する。
この例の映像蓄積再生装置への入力である再生制御電文９は、サブＣＰＵ装置２で受信される。
サブＣＰＵ装置２では、映像再生の制御を指示する再生制御電文９を解釈して、メインＣＰＵ装置１に対して、映像再生に必要な素材の準備を求める素材準備要求１０として伝える。
【００３１】
メインＣＰＵ装置１では、サブＣＰＵインタフェース部７で素材準備要求１０を受信して、これを再生制御部５に素材準備要求を表す信号１１として伝える。
再生制御部５では、信号１１による要求を受けて、ファイルシステム部６に、素材データの格納場所を指定するために必要な格納場所リスト要求１２を出力し、これによってファイルシステム部６から、素材データの格納場所を示す格納場所リスト１３を受信したとき、格納場所リストを表す信号１４としてサブＣＰＵインタフェース部７に渡す。これによってサブＣＰＵインタフェース部７は、格納場所リストの情報を信号１５としてサブＣＰＵ装置２に渡す。
【００３２】
サブＣＰＵ装置２では、蓄積装置インタフェース部８が、受信した素材データの格納場所リストに従って、蓄積装置３に素材データ要求１６を出力し、蓄積装置３から素材データ１７として所要の素材データを受け取って、素材データ出力１８として映像出力装置４に渡す。
映像出力装置４は、入力された素材データを映像信号に変換して、映像信号１９として出力する。
【００３３】
このようにこの例の映像蓄積再生装置によれば、メインＣＰＵ装置側のファイルシステム部で管理している、素材データの格納場所のリストをサブＣＰＵ装置が受け取ることによって、サブＣＰＵ装置が直接、蓄積装置から映像の素材データを読み出すことができるので、複雑な可変速再生の操作が行われた場合でも即座に反応して、要求された素材データを読み出して、映像を再生して出力することが可能になる。
【００３４】
以上、この発明の実施例を図面により詳述してきたが、具体的な構成はこの実施例に限られるものではなく、この発明の要旨を逸脱しない範囲の設計の変更等があってもこの発明に含まれる。例えば、図１に示された映像蓄積再生装置の回路構成は一例を示したものであって、同じ機能，動作を実現できるものであれば、これとは異なる回路構成であってもよい。
【産業上の利用可能性】
【００３５】
この発明は、映像素材を蓄積して再生する装置であれば、いかなる種類の映像を取り扱う装置において利用可能なものである。
【図面の簡単な説明】
【００３６】
【図１】本発明の一実施例である、映像蓄積再生装置の構成を示すブロック図である。
【図２】従来の映像蓄積再生装置の構成例を示すブロック図である。
【符号の説明】
【００３７】
１    メインＣＰＵ装置
２    サブＣＰＵ装置
３    蓄積装置
４    映像出力装置
５    再生制御部
６    ファイルシステム部
７    サブＣＰＵインタフェース部
８    蓄積装置インタフェース部
９    再生制御電文
１０    素材準備要求
１１    信号
１２    格納場所リスト要求
１３    格納場所リスト
１４    信号
１５    信号
１６    素材データ要求
１７    素材データ
１８    素材データ出力
１９    映像信号
【図１】
2008236535.tif 000003
【図２】
2008236535.tif 000004